(57)【要約】【課題】浴室の天井部に、浴槽の上方に位置させて設置する浴室暖房機であって、浴槽に向けて温水を落下させる打たせ湯ノズルを備えるものにおいて、浴室暖房機を大型化せずに、打たせ湯ノズルから吐出する温水が吹出し口から送風される温風で煽られることを防止できるようにする。【解決手段】暖房機本体２の下面を覆うカバー３に形成する吸込み口４の一部を閉塞する閉塞板部４ｂを設ける。そして、閉塞板部４ｂに透孔４ｃを開設し、この透孔４ｃに臨ませて打たせ湯ノズル１２を配置する。また、浴室の洗い場に対する浴槽の設置方向を横方向一方として、吸込み口４は吹出し口５の横方向一方に位置する。更に、透孔４ｃを横長に形成し、打たせ湯ノズル１２を透孔４ｃ内で横方向に変位自在とする。【選択図】図２
2010112666.tif 000002
【特許請求の範囲】
【請求項１】
浴室の天井部に、浴槽の上方に位置させて設置する浴室暖房機であって、暖房機本体の下面を覆うカバーに吸込み口と吹出し口とが形成され、暖房機本体内に、吸込み口と吹出し口とを連通する通風路と、通風路を介して浴室の空気を循環させる循環ファンと、通風路に流れる空気を加熱する加熱手段と、浴槽に向けて温水を落下させる打たせ湯ノズルとが設けられるものにおいて、
吸込み口の一部を閉塞する閉塞板部を備え、閉塞板部に開設した透孔に臨ませて打たせ湯ノズルが配置されることを特徴とする打たせ湯機能付き浴室暖房機。
【請求項２】
浴室の洗い場に対する浴槽の設置方向を横方向一方として、前記吸込み口は前記吹出し口の横方向一方に位置することを特徴とする請求項１記載の打たせ湯機能付き浴室暖房機。
【請求項３】
前記透孔は横長に形成され、前記打たせ湯ノズルはこの透孔内で横方向に変位自在であることを特徴とする請求項２記載の打たせ湯機能付き浴室暖房機。
【発明の詳細な説明】
【技術分野】
【０００１】
本発明は、浴室の天井部に、浴槽の上方に位置させて設置する打たせ湯機能付き浴室暖房機に関する。
【背景技術】
【０００２】
浴室暖房機は、暖房機本体の下面を覆うカバーに吸込み口と吹出し口とが形成され、暖房機本体内に、吸込み口と吹出し口とを連通する通風路と、通風路を介して浴室の空気を循環させる循環ファンと、通風路に流れる空気を加熱する加熱手段とが設けられ、循環ファンと加熱手段とを作動させることにより吹出し口から浴室内に温風を送風するように構成されている。
【０００３】
従来、このような浴室暖房機において、浴槽に向けて温水を落下させる打たせ湯ノズルを付設し、入浴者が浴槽内で打たせ湯を楽しむことができるようにしたものが知られている(例えば、特許文献１参照)。
【０００４】
このものでは、打たせ湯ノズルを吹出し口の近傍に配置している。そのため、打たせ湯ノズルから吐出する温水が吹出し口から送風される温風に煽られて揺れ動き、入浴者に温水が当たらなくなってしまうことがある。
【０００５】
かかる不具合を解消するため、カバーに、吸込み口の吹出し口とは反対側の側縁より外方に張出す張出し部を形成し、この張出し部に開設した透孔に臨ませて打たせ湯ノズルを配置することも考えられる。然し、これでは、カバーに張出し部を形成する関係で、浴室暖房機が大型化してしまう。
【特許文献１】特開２００３−８３５５７号公報
【発明の開示】
【発明が解決しようとする課題】
【０００６】
本発明は、以上の点に鑑み、打たせ湯ノズルから吐出する温水が吹出し口から送風される温風で煽られることを防止できるようにしたコンパクトな打たせ湯機能付き浴室暖房機を提供することをその課題としている。
【課題を解決するための手段】
【０００７】
上記課題を解決するために、本発明は、浴室の天井部に、浴槽の上方に位置させて設置する浴室暖房機であって、暖房機本体の下面を覆うカバーに吸込み口と吹出し口とが形成され、暖房機本体内に、吸込み口と吹出し口とを連通する通風路と、通風路を介して浴室の空気を循環させる循環ファンと、通風路に流れる空気を加熱する加熱手段と、浴槽に向けて温水を落下させる打たせ湯ノズルとが設けられるものにおいて、吸込み口の一部を閉塞する閉塞板部を備え、閉塞板部に開設した透孔に臨ませて打たせ湯ノズルが配置されることを特徴とする。
【０００８】
本発明によれば、打たせ湯ノズルを臨ませる透孔は、吸込み口の一部を閉塞する閉塞板部に開設されているため、吸込み口の吹出し口とは反対側の側縁より外方に張出す張出し部をカバーに形成する必要がなく、浴室暖房機がコンパクトになる。そして、打たせ湯ノズルが吹出し口から離れた吸込み口内に位置することになるため、打たせ湯ノズルから吐出する温水が吹出し口から送風される温風で煽られて揺れ動くことを防止できる。また、吸込み口に吸込まれる空気が打たせ湯ノズルの配置部に流れることを閉塞板部により防止でき、打たせ湯ノズルから温水が真直に落下する。
【０００９】
また、本発明においては、浴室の洗い場に対する浴槽の設置方向を横方向一方として、吸込み口は吹出し口の横方向一方に位置することが望ましい。ここで、浴室暖房機の設置位置は浴槽の真上を理想とするが、実際には、浴槽の真上位置から洗い場側(横方向他方)にずれた位置に浴室暖房機が設置されてしまうことがある。そして、本発明では、吸込み口内に打たせ湯ノズルが位置するため、吸込み口が吹出し口の横方向他方に位置していると、浴室暖房機の設置位置が横方向他方にずれたときに、打たせ湯ノズルからの温水が洗い場に落下してしまう可能性がある。これに対し、上記の如く吸込み口が吹出し口の横方向一方に位置していれば、浴室暖房機の設置位置が横方向他方にかなりずれても、吸込み口は浴槽の上方に位置し、打たせ湯ノズルからの温水は浴槽内に落下する。
【００１０】
また、この場合、透孔は横長に形成され、打たせ湯ノズルはこの透孔内で横方向に変位自在であることが望ましい。これによれば、浴室暖房機の設置位置が横方向にずれても、このずれ方向と逆方向に打たせ湯ノズルを変位させることで、打たせ湯ノズルからの温水を浴槽内の所定位置に落下させることができる。更に、ユーザの好みに応じて温水の落下位置を変更することができる。
【発明を実施するための最良の形態】
【００１１】
図１を参照して、ＢＲは浴室を示している。浴室ＢＲには、洗い場ＢＲａの横方向一方(右方)に位置させて浴槽ＢＴが設置されている。また、浴室ＢＲの天井部には、浴槽ＢＴの上方に位置させて浴室暖房機１が設置されている。
【００１２】
浴室暖房機１の暖房機本体２の下面には、浴室ＢＲ内に露出するカバー３が設けられている。カバー３には、図２、図３に示す如く、横方向一方の半部の略全域に亘る固定ルーバ４ａ付きの吸込み口４と、吸込み口４の横方向他方に位置する可変ルーバ５ａ付きの吹出し口５とが形成されている。
【００１３】
暖房機本体２内には、吸込み口４と吹出し口５とを連通する通風路６と、通風路６を介して浴室ＢＲの空気を循環させる循環ファン７と、通風路６に流れる空気を加熱する加熱手段たる放熱器８とが設けられている。放熱器８には、図外の給湯暖房熱源機の暖房部で加熱された熱媒体(水、不凍液等)が供給される。そして、循環ファン７の作動により吸込み口４から通風路６に吸込まれた浴室ＢＲの空気が放熱器８で加熱され、温風となって吹出し口５から浴室ＢＲ内に送風される。
【００１４】
吸込み口４の上側にはフィルタ９が装着されている。そして、カバー３の吸込み口４と吹出し口５との間の部分に、フィルタ９の側端の把手部９ａが収まる出入れ口１０を形成し、フィルタ９を出入れ口１０を通して抜き差し自在としている。
【００１５】
また、カバー３には、吹出し口５の横方向他方に隣接する部分に位置させて一対のミストノズル１１が設けられている。各ミストノズル１１は、給湯暖房熱源機の暖房部からの熱媒体を供給する図外の液々熱交換器で加熱された温水を噴霧する。噴霧された温水ミストは吹出し口５から送風される温風に乗って浴室ＢＲ内に供給される。
【００１６】
また、浴室暖房機１は、給湯暖房熱源機の給湯部からの温水を浴槽ＢＴに向けて落下させる打たせ湯ノズル１２を備えている。以下、この点について説明する。
【００１７】
本実施形態では、吸込み口４の前後方向中央部を吸込み口４の横方向一方の側縁(吹出し口５とは逆側の側縁)から吸込み口４の横方向中央部に亘って閉塞する閉塞板部４ｂを設けている。そして、この閉塞板部４ｂに横長の透孔４ｃを開設して、打たせ湯ノズル１２を透孔４ｃに臨むように配置している。尚、打たせ湯ノズル１２に干渉することなくフィルタ９を抜き差しできるように、閉塞板部４ｂ上に位置するフィルタ９の部分は切り欠かれている。
【００１８】
図４を参照して、打たせ湯ノズル１２の上端には、前後方向に屈曲するエルボ管１３がクリップ１３ａを用いて連結されている。そして、打たせ湯ノズル１２への温水の供給を制御する制御弁１４の前後方向の孔軸を持つ流出孔１４ａにエルボ管１３をクリップ１４ｂを用いて回動自在に連結している。これにより、打たせ湯ノズル１２は、流出孔１４ａの前後方向の孔軸を中心にして横方向に揺動自在となる。その結果、横長の透孔４ｃ内で打たせ湯ノズル１２が横方向に変位自在となる。
【００１９】
また、図３を参照して、閉塞板部４ｂの透孔４ｃの形成部分は、打たせ湯ノズル１２の揺動中心と同心の断面円弧状に形成されている。そして、閉塞板部４ｂの上面に当接する断面円弧状の目隠し板１５を打たせ湯ノズル１２に連結し、透孔４ｃを通して内部が見えることを防止している。尚、図４では目隠し板１５を省略している。
【００２０】
ところで、打たせ湯ノズル１２を吹出し口５の近傍にミストノズル９に並べて配置することも考えられる。然し、これでは、打たせ湯ノズル１２から吐出する温水が吹出し口５から送風される温風に煽られて揺れ動き、入浴者に温水が当たらなくなってしまうことがある。また、カバー３に、吸込み口４の横方向一方の側縁（吹出し口５とは反対側の側縁）より外方に張出す張出し部を形成し、この張出し部に開設した透孔に臨ませて打たせ湯ノズル１２を配置することも考えられる。然し、これでは、カバー３に張出し部を形成する関係で、浴室暖房機が大型化してしまう。
【００２１】
これに対し、本実施形態では、打たせ湯ノズル１２を臨ませる透孔４ｃが吸込み口４の一部を閉塞する閉塞板部４ｂに開設されているため、吸込み口４の横方向一方の側縁より外方に張出す張出し部をカバーに形成する必要がなく、浴室暖房機１がコンパクトになる。そして、打たせ湯ノズル１２が吸込み口４内に位置するため、打たせ湯ノズル１２から吐出する温水が吹出し口５から送風される温風で煽られて揺れ動くことを防止できる。また、吸込み口４に吸込まれる空気が打たせ湯ノズル１２の配置部に流れることを閉塞板部４ｂにより防止でき、打たせ湯ノズル１２から温水が真直に落下する。
【００２２】
また、浴室暖房機１の設置位置は浴槽ＢＴの真上を理想とするが、実際には、浴槽ＢＴの真上位置から洗い場ＢＲａ側(横方向他方)にずれた位置に浴室暖房機１が設置されてしまうことがある。そして、吸込み口４内に打たせ湯ノズル１２が配置されるため、吸込み口４が吹出し口５の横方向他方に位置していると、浴室暖房機１の設置位置が横方向他方にずれたときに、打たせ湯ノズル１２からの温水が洗い場ＢＲａに落下してしまう可能性がある。これに対し、本実施形態では、吸込み口４が吹出し口５の横方向一方に位置するため、浴室暖房機１の設置位置が横方向他方にかなりずれても、吸込み口４は浴槽ＢＴの上方に位置し、打たせ湯ノズル１２からの温水は浴槽ＢＴ内に落下する。
【００２３】
また、本実施形態では、打たせ湯ノズル１２が横長の透孔４ｃ内で横方向に変位自在であるため、浴室暖房機１の設置位置が横方向にずれても、このずれ方向と逆方向に打たせ湯ノズル１２を変位させることで、打たせ湯ノズル１２からの温水を浴槽ＢＴ内の所定位置に落下させることができる。更に、ユーザの好みに応じて温水の落下位置を変更することもできる。
【００２４】
以上、本発明の実施形態について図面を参照して説明したが、本発明はこれに限定されない。例えば、上記実施形態では、打たせ湯ノズル１２を制御弁１４の流出孔１４ａに横方向に揺動自在に連結したが、打たせ湯ノズル１２に可撓性配管部材を連結し、この配管部材の撓みで打たせ湯ノズル１２を横方向に変位させるようにしてもよい。また、加熱手段として上記実施形態の放熱器８に代えて電気式ヒータを用いてもよい。
【図面の簡単な説明】
【００２５】
【図１】本発明の実施形態の浴室暖房機の設置状態を示す説明図。
【図２】実施形態の浴室暖房機の斜め下方から見た斜視図。
【図３】実施形態の浴室暖房機の切断側面図。
【図４】実施形態の浴室暖房機が具備する打たせ湯ノズルの斜視図。
【符号の説明】
【００２６】
ＢＲ…浴室、ＢＲａ…洗い場、ＢＴ…浴槽、１…浴室暖房機、２…暖房機本体、３…カバー、４…吸込み口、４ｂ…閉塞板部、４ｃ…透孔、５…吹出し口、６…通風路、７…循環ファン、８…放熱器(加熱手段)、１２…打たせ湯ノズル。
【図１】
2010112666.tif 000003
【図２】
2010112666.tif 000004
【図３】
2010112666.tif 000005
【図４】
2010112666.tif 000006